(57)【要約】【課題】照明装置毎に光源部の異なる配線パターンに対応することが可能な構造を有した基板を備える照明装置とこの照明装置を具備した照明器具の技術を提供する。【解決手段】照明器具１に用いる照明装置２は基板３に複数の光源部４を直列の配線パターンで実装して成る実装配線板３ａを備える。基板３に５個の光源部４としての回路部４ａが基板配線５を介して基板３に接続される。一対の前記光源部４の基板配線５の中間部と、１個目と５個目の光源部４の外側に延在する基板配線５の先端部に接続部６を設ける。基板３が容易に分離できるように基板３には易破断部としての基板分割構造７が位置Ｓ１〜位置Ｓ４の４箇所に設けられ、各基板分割構造７は基板配線５を接続部６の位置でそれぞれ二等分する位置に形成される。基板３に５個の光源部４と４箇所の基板分割構造７が設けられるので、分割位置を選ぶことで色んな配線パターン構成が選択できる。【選択図】図１
2011003595.tif 000002
【特許請求の範囲】
【請求項１】
基板分割構造を備える基板上に複数の回路部が設けられ、前記回路部間を接続する基板配線上に前記基板分割構造が配置されることを特徴とする実装配線板。
【請求項２】
基板分割構造を備える基板上に複数の回路部が設けられ、前記回路部は他の回路部と接続する接続部を備え、一対の対向する前記接続部の隙間に前記基板分割構造が配置されることを特徴とする実装配線板。
【請求項３】
請求項１又は請求項２に記載の実装配線板であって、前記基板上に複数の前記回路部が格子状に配置されることを特徴とする実装配線板。
【請求項４】
請求項１乃至請求項３のいずれか一項に記載の実装配線板であって、前記回路部が光源部であることを特徴とする照明用実装配線板。
【請求項５】
請求項４に記載の前記光源部がＬＥＤであることを特徴とする照明用実装配線板。
【請求項６】
請求項１乃至請求項５のいずれか一項に記載の実装配線板を備えたことを特徴とする照明装置。
【請求項７】
請求項６に記載の照明装置を備えたことを特徴とする照明器具。
【発明の詳細な説明】
【技術分野】
【０００１】
本発明は、複数の回路部を備えた実装配線板と、この実装配線板を備える照明装置と、この照明装置を備える照明器具の技術に関する。
【背景技術】
【０００２】
従来、複数の光源部を備えた照明器具が提供されており、光源部を直線状に配置したライン型形状や丸型に配置した照明器具が開発されている。この種のライン型の照明器具は、直線的に連続した照射が可能であることから、什器、床、壁面等に設置したり埋め込み型の照明器具として多用されている。
【０００３】
ライン型の照明器具として特許文献１の記載が知られている。特許文献１によれば、図６に示すように、照明器具１０は、複数の光源部１１を基板１２ａ上に配置して電源部３０を具備した照明装置１２が器具本体２０で覆われて形成される。光源部１１は発光ダイオード（ＬＥＤ）で、１６個の高出力白色のＬＥＤを細長平面状の基板１２ａ上に、略直線状に１列で略等間隔に実装配置される。各ＬＥＤの光線は主としてＬＥＤの軸線方向に放射される。基板１２ａは耐熱性で電気絶縁性の合成樹脂が用いられる。
【０００４】
器具本体２０はアルミニウム材を押し出し成形される断面略Ｕ字形の長尺状ケース部材で底面に取付用穴５１と図示しない透光性のカバー部材を備える。このように、照明器具の仕様に応じて必要な数の光源部を配置することによりライン型の照明器具が構成される。
【先行技術文献】
【特許文献】
【０００５】
【特許文献１】特開２００８−１５３１５２号公報
【発明の概要】
【発明が解決しようとする課題】
【０００６】
しかしながら、特許文献１に示されるライン型の照明器具１０では、照明器具１０の仕様に応じた数の光源部１１を基板１２ａ上に配置するため、光源部１１の数や光源部１１間の取り付けピッチ等の仕様違いに対して、基板仕様をそれぞれの配線パターンに対応して変更する必要がある。
【０００７】
例えば、光源部１１を５個配置する場合、図７（ａ）に示すように、基板１２ａ上に光源部１１が接続部１１ａによって直列配線パターンで接続される。同様に、図７（ｂ）に示すように５個の光源部が一対の接続部１１ａで並列接続される配線パターンがある。従って、必要とする光源部１１の個数や配線パターンの違いすべてに対応するために、光源部１１を配置する基板１２ａをそれぞれ個別に作製する必要が生じる。
【０００８】
このため、基板は一品一様の仕様で品番数が多くなり、開発工数、基板金型作製費用、多品種少量による基板単価、さらには量産後の基板管理工数のすべてにおいて増加するという問題があった。従って、複数の光源部を備えた照明器具において、構成部品の共有化を図り開発工数、金型投資、部品単価および量産後の管理工数の低減を図ることが重要な課題となっている。
【０００９】
本発明は、上記問題点に鑑みてなされたものであり、その目的とするところは、複数の光源部を備えた照明装置に関し、特に、照明装置毎に異なる光源部の配線パターンに対応することが可能な構造を有した基板を備える照明装置とこの照明装置を具備した照明器具の技術を提供することにある。
【課題を解決するための手段】
【００１０】
本発明は、基板分割構造を備える基板上に複数の回路部が設けられ、前記回路部間を接続する基板配線上に前記基板分割構造が配置されることを特徴としている。
このとき、前記基板分割構造は基板配線上を横切る場合と基板配線上を縦方向に二分するように配置する場合があるが、いずれも前記基板分割構造が回路部には配置されないので基板分割する際に回路部を破損することがない。
【００１１】
また、本発明は、基板分割構造を備える基板上に複数の回路部が設けられ、前記回路部は他の回路部と接続する接続部を備え、一対の対向する前記接続部の隙間に前記基板分割構造が配置されることを特徴としている。
このため、前記基板分割構造が接続部に接触しないように配置されるので基板分割する際に接続部および回路部を破損することがない。
【００１２】
さらに、本発明は、前記基板上に複数の前記回路部が格子状に配置されることを特徴としている。
このため、前記回路部間を接続する複数の格子状の基板配線上で縦横方向に複数の前記基板分割構造を配置することができる。
【００１３】
請求項４の発明は、請求項１乃至請求項３のいずれか一項に記載の実装配線板であって、前記回路部が光源部であることを特徴としている。このため、実装配線版を照明用実装配線板として用いることができる。
【００１４】
請求項５の発明は、請求項４に記載の前記光源部がＬＥＤであることを特徴としているので、実装配線版をＬＥＤによる照明用実装配線板として用いることができる。
【００１５】
請求項６の発明は、請求項１乃至請求項５のいずれか一項に記載の実装配線板を備えたことを特徴としているので、この実装配線板を用いて照明装置が形成される。
【００１６】
請求項７の発明は、請求項６に記載の照明装置を備えたことを特徴とする照明器具が形成される。
【発明の効果】
【００１７】
請求項１の発明によれば、前記基板分割構造が基板配線上に配置され回路部には配置されないので基板分割する際に回路部を破損することなく、複数の回路部で構成された一種類の基板仕様によって必要とする基板分割箇所を選択することで複数の回路部構成に対応することが可能となる。このため、基板のＭＴ化による在庫管理工数が低減できる。また、基板数減によりコストの低減を図ることができる。
【００１８】
請求項２の発明によれば、前記基板分割構造が一対の対向する前記接続部の隙間を通って接続部に接触しないので基板分割する際に回路部および接続部を破損することがなく、請求項１の発明の効果と同様の効果が得られる。
【００１９】
請求項３の発明によれば、前記回路部間を接続する複数の基板配線上に縦横方向に複数の前記基板分割構造を配置する一種類の基板仕様で基板分割箇所を数種類選択することができるので、色んな回路部構成の組合せに対応することが可能となり、請求項１の発明の効果と同様の効果をさらに大きく得ることができる。
【００２０】
請求項４の発明によれば、実装配線版を照明用実装配線板として用いることができるので照明用の色んな回路部構成に分割できるので基板の在庫管理工数が低減できて基板数減によりコストの低減を図ることができる。
【００２１】
請求項５の発明によれば、実装配線版をＬＥＤによる照明用実装配線板として用いることができて請求項４の発明の効果と同様の効果を得ることができる。
【００２２】
請求項６の発明によれば、実装配線板を備える照明装置が形成できるので、一種類の基板仕様で色んな照明装置に対応することが可能となる。
【図面の簡単な説明】
【００２３】
【図１】本発明の第１の実施形態における、基板３上に光源部４が直列配置された状態を示す平面図である。
【図２】本発明の第２の実施形態における、基板３上に光源部４が並列配置された状態を示す平面図である。
【図３】本発明の第３の実施形態における、基板３上に複数の光源部４が格子状に設けられ、縦横方向の複数の基板配線５上に基板分割構造７が配置された状態を示す平面図である。
【図４】本発明の第３の実施形態における、（ａ）は、図３に示す基板３が基板分割構造７で直列配置に分割された状態を示す平面図、（ｂ）は、図３に示す基板３が基板分割構造７で並列配置に分割された状態を示す平面図である。
【図５】本発明の第４の実施形態における、基板３上に設けられた一対の光源部４の対向する接続部６の隙間Ｑに基板分割構造７が配置された状態を示す平面図である。
【図６】従来の、照明器具１０が複数の光源部１１を略直線状に照明装置１２の基板１２ａ上に配置された状態を示す平面図である。
【図７】従来の、（ａ）は、５個の光源部１１を直列に配置した状態、（ｂ）は５個の光源部１１を並列に配置した状態を示す平面図である。
【発明を実施するための形態】
【００２４】
（第１実施形態）
以下に、本発明の第１実施形態を図１に基づいて説明する。
【００２５】
（照明装置の構成）
図１に示すように、照明器具１は照明装置２を図示しないケース部材に配置して形成され、照明装置２は基板３に複数の光源部４を直列の配線パターンで実装して成る実装配線板３ａが図示しない電源部を具備して構成される。基板３は細長い矩形形状で、この基板３に５個の回路部４ａとしての光源部４が基板配線５を介して直列接続される。ここで、一対の光源部４の基板配線５の中間部と、１個目と５個目の光源部４の外側に延在する基板配線５の先端部に合計６組の接続部６が設けられる。基板３が容易に分離できるように基板３には易破断部としての基板分割構造７が４箇所（位置Ｓ１、位置Ｓ２、位置Ｓ３、位置Ｓ４）に各接続部６の中心位置に合わせて形成される。なお、各各接続部６の中心位置間のピッチはＰ１、Ｐ２、Ｐ３、Ｐ４、Ｐ５である。基板分割構造７は基板３の短辺の全長に亘って基板３を等間隔に貫通する円形穴でミシン目形状で形成される。
【００２６】
このように、基板３に５個の光源部４と４箇所の基板分割構造７を設けることで色んな配線パターン構成が選択できる。例えば、５個の光源部４を全部必要とする照明装置２に対応する場合は分割しない状態の基板３をそのまま照明装置２に対応できる。
【００２７】
２個の光源部４を必要とする場合は、位置Ｓ２の基板分割構造７を使用することで２個の光源部４を有した基板３を作製して接続部６を介して他の部品と接続できる。残り３個の光源部４を有する基板３は３個の光源部４を必要とする照明装置２に使用される。
【００２８】
なお、照明装置２内に２個の光源部４を具備した基板３と３個の光源部４を具備した基板３を同時に配置する場合には、位置Ｓ２の基板分割構造部７にて基板３を二分割し、分割後の一対の接続部６をリード線等で再接続することにより、２個の光源部４を具備した基板３と３個の光源部４を具備した基板３を照明装置２内の任意の場所に配置することが可能となる。
【００２９】
同様に、位置Ｓ１又は位置Ｓ４の基板分割構造７を使用することにより、１つと４個の光源部４を有する基板３が、位置Ｓ２又は位置Ｓ３の基板分割構造７を使用することにより、２個と３個の光源部４を有する基板３が作製できる。さらに、位置Ｓ１、位置Ｓ２、位置Ｓ３、位置Ｓ４全ての基板分割構造７を使用して、１個の光源部４を有する５組の基板３が得られる。接続部６のピッチＰ１、Ｐ２、Ｐ３、Ｐ４、Ｐ５をそれぞれ異なる寸法とすることで、取付のピッチの異なる５個の光源部４を有する基板仕様を得ることができる。
【００３０】
なお、基板３はベークライト、エポキシ樹脂等の絶縁体の板に銅箔を敷いて成るプリント基板で、基板分割構造７の分割後の端面が接続部端面となるため導電箇所が露出してしまうので、この露出する金属部分の錆や腐食等による部品劣化が生じる恐れがある。このため、光源部４を有する基板３を照明装置２内に組み込む際に接続部端面の絶縁性能を保持するためのシールド処理等の配慮が好ましい。
【００３１】
光源部４としてＬＥＤを使用すると実装配線板３ａは照明用実装配線板と成り、この照明用実装配線板を基板分割構造７で分割し各種配線パターンを備えた照明装置２を具備して照明器具１が形成される。
【００３２】
（照明装置の作用）
一種類の光源部４を複数配置する基板仕様で基板分割箇所を選択することにより、必要数の光源部４を使用した配線パターンを備える照明装置２の仕様に容易に対応することができる。このため、複数の光源部４を備えた照明装置２の構成部品の共有化を図り基板３の品番数を少なくできるので、開発工数，金型投資、部品単価および量産後の管理工数のそれぞれが低減できる。在庫不足による緊急事態の回避にも繋がる。
（第２の実施形態）
【００３３】
本発明の第２の実施形態を図２を用いて説明するが、図１に示す照明装置２の実装配線板３ａの構成と同構成部分については、図面に同符号を付して重複した説明を省略する。
【００３４】
図２に示すように、照明装置２は基板３に５個の光源部４が基板配線５を介して並列配置される。このため、それぞれ一対の光源部４の基板配線５の中間部に二組の接続部６と、この二組の接続部６上に基板分割構造７が設けられる。１個目と５個目の光源部４の外側に延在する基板配線５の先端部には接続部６を各一組設ける。
【００３５】
このような、基板３上の光源部４を並列接続する場合においても、第１の実施形態に示した直列接続と同様に、一種類の光源部４を複数配置する基板仕様を用いて基板分割箇所を選択することにより、必要数の光源部４を使用する配線パターンを備えた照明装置２の仕様に対応することが容易に可能となる。
（第３の実施形態）
【００３６】
本発明の第３の実施形態を図３、図４（ａ）、（ｂ）を用いて説明するが、図１、図２に示す照明装置２の実装配線板３ａの構成と同構成部分については、図面に同符号を付して重複した説明を省略する。
【００３７】
図３に示すように、基板３上に基板配線５を介して光源部４を格子状に横列５個、縦列３個で配置し、横列５個の光源部４がそれぞれ並列接続されるので、第２の実施形態における図２の並列接続パターンを縦方向に３組連結した状態と略同じ構成である。そして、基板３上で、縦方向に位置Ｓ１、位置Ｓ２、位置Ｓ３、位置Ｓ４の４組の基板分割構造７と、横方向にＴ１、Ｔ２の２組の基板分割構造７を設ける。
【００３８】
基板３において位置Ｓ１の基板分割構造７を使用して基板分割を行うと、図４（ａ）に示すように、直列接続仕様の光源部４を有した基板３を作製することができる。このとき、位置Ｓ１の基板分割構造７における接続部６ａは元の接続部６の略１／２領域であるが接続部としての機能は確保される。同様に、残りの位置Ｓ２、位置Ｓ３、位置Ｓ４の基板分割構造７を使用して基板分割を行うと、合計５組の直列接続仕様の光源部４を有した基板３を作製することができる。
【００３９】
位置Ｔ２の基板分割構造７を使用して基板分割を行うと、図４（ｂ）に示すように、並列接続仕様の光源部４を有した基板３を作製することができる。このとき、位置Ｔ２の基板分割構造７における接続部６ａは元の接続部６の略１／２領域、基板配線５ａは元の基板配線５の幅の略１／２になるが、それぞれ接続部と基板配線としての機能は確保される。残りの位置Ｔ１の基板分割構造７も基板分割を行うと、直列接続仕様の光源部４を有した基板３を合計３組作製することができる。
【００４０】
このように、位置Ｓ１、位置Ｓ２、位置Ｓ３、位置Ｓ４、位置Ｔ１、位置Ｔ２の基板分割構造７の組合せにより、直列接続や並列接続の配列を有する基板３を任意に作製することができる。このように、一種類で複数の光源部４を基板３に格子構造に実装し任意の基板分割箇所を選択することで、単数の光源部４や複数の光源部４による多様な直列又は並列接続構成で照明装置２に対応することができる。
（第４の実施形態）
【００４１】
本発明の第４の実施形態を図５を用いて説明するが、図１に示す照明装置２の実装配線板３ａの構成と同構成部分については、図面に同符号を付して重複した説明を省略する。
【００４２】
図５に示すように基板分割構造７を備える基板３上に複数の光源部４が設けられ、光源部４は他の光源部４と接続する接続部６を備え、一対の対向する接続部６に設けた隙間Ｑに基板分割構造７が配置される。例えば２個の光源部４を有する基板３と３個の光源部４を有する基板３に分割する場合、位置Ｓ２の基板分割構造７を用いて基板分割を行い、位置Ｓ１、位置Ｓ３、位置Ｓ４のそれぞれにおいて対向する一対の接続部６をリード線やジャンパー抵抗等を用いて接続することで、２個の光源部４を有する基板３と３個の光源部４を有する基板３を作製することができる。この構成であれば、接続部６に切断端面が形成されず導電箇所が露出しないので絶縁性能が保たれるので、金属部分の錆や腐食等による部品劣化の恐れがない。
【００４３】
以上、本発明の実施例を図面に基づいて説明したが、具体的な構成はこの実施例に限られるものではなく本発明の要旨を逸脱しない範囲の設計変更等があっても本発明に含まれる。
【００４４】
例えば、実施例１〜３では、照明用の光源部４を用いて説明したが、照明用光源以外の回路部４ａでも基板３の品番数を少なくできるので、開発工数，金型投資、部品単価および量産後の管理工数の低減効果が同様に得られる。実施例１〜４における基板３に配置された光源部４の個数は実施可能な範囲で増数することができる。実施例４の一対の対向する接続部６に設けた隙間Ｑに基板分割構造７が配置される構成を実施例１〜３の構成に応用することもできる。基板３の表面側に基板配線５を設け、基板３の裏面側に基板分割構造７としてＶ字溝を形成してもよく、この場合、平面視で基板分割構造７が接続部６上に重なって配置される
【符号の説明】
【００４５】
１  照明器具
２  照明装置
３  基板
３ａ  実装配線板
４  光源部
４ａ  回路部
５  基板配線
６  接続部
７  基板分割構造
【図１】
2011003595.tif 000003
【図２】
2011003595.tif 000004
【図３】
2011003595.tif 000005
【図４】
2011003595.tif 000006
【図５】
2011003595.tif 000007
【図６】
2011003595.tif 000008
【図７】
2011003595.tif 000009